(57)【要約】【課題】  ２以上の大当たり状態が発生可能で尚且つそれら大当たり状態にある各期間の平均的な継続期間が互いに相違する遊技機、特には各大当たり状態の発生をそれぞれ示す信号が出力されない形態の遊技機が管理対象であった場合でも、各大当たり状態に係る稼動データを個別に集計可能にすること。【解決手段】  パチンコ遊技機１は、平均的な継続時間が互いに異なる第１種及び第２種大当たりが発生可能になっており、その大当たり期間を示す大当たり信号を出力する。管理コンピュータ１６は、大当たり信号に基づいてパチンコ遊技機１の大当たり期間中のアウト玉数を大当たり中アウト玉数として集計し、集計した大当たり中アウト玉数が予め設定された上限しきい値及び下限しきい値の範囲に収まっているか否かに基づいて、第１種及び第２種大当たり状態の何れが発生しているかを判定する。【選択図】  図１
2005177263.tif 000002
【特許請求の範囲】
【請求項１】
パチンコ玉を使用した遊技により入賞が発生したときに所定個数のパチンコ玉を払い出すように構成されその遊技時に入賞率を通常時より高めた第１の大当たり状態及び第２の大当たり状態が発生可能なパチンコ遊技機であって、前記第１及び第２の大当たり状態にある各期間の平均的な継続期間が互いに相違するパチンコ遊技機に係る稼動データを各遊技機別に区分して集計管理する遊技場用データ管理システムにおいて、
前記パチンコ遊技機が前記第１及び第２の大当たり状態の何れかにある期間を大当たり期間として検出する検出手段と、
この検出手段が検出した大当たり期間中に使用されたパチンコ玉数を示す大当たり中打込パチンコ玉数データ或いは当該大当たり期間の継続時間データを算出するデータ演算手段と、
このデータ演算手段により算出された大当たり中打込パチンコ玉数データ或いは継続時間データに基づいて、前記第１及び第２の大当たり状態の何れが発生しているかを判定する判定手段と
を備えたことを特徴とする遊技場用データ管理システム。
【請求項２】
前記判定手段は、前記データ演算手段により算出された大当たり中打込パチンコ玉数データ或いは継続時間データが、各大当たり状態のそれぞれについて予め設定された上限しきい値及び下限しきい値の範囲に収まっているか否かに基づいて、前記第１及び第２の大当たり状態の何れが発生しているかを判定することを特徴とする請求項１記載の遊技場用データ管理システム。
【請求項３】
前記パチンコ遊技機は、前記第１及び第２の大当たり状態の発生に応じて大当たり信号を出力するように構成され、
前記検出手段は、前記パチンコ遊技機から出力される前記大当たり信号に基づいて前記大当たり期間を検出するように構成されていることを特徴とする請求項１または２記載の遊技場用データ管理システム。
【請求項４】
前記データ演算手段は、前記パチンコ遊技機において払い出されたパチンコ数を示す払出パチンコ玉数データ、並びに当該パチンコ遊技機において払い出されたパチンコ玉数及び遊技に使用されたパチンコ数の差である差玉数データの少なくとも一方の集計動作をリアルタイムで行うように構成され、
前記検出手段は、前記データ演算手段により演算される払出パチンコ玉数データ或いは前記差玉数データの単位時間当たりの増加量が予め設定されたしきい値以上あるか否かに基づいて前記大当たり期間を検出するように構成されていることを特徴とする請求項１または２記載の遊技場用データ管理システム。
【請求項５】
前記データ演算手段は、前記検出手段が検出した大当たり期間に払い出されたパチンコ玉数を示す大当たり中払出パチンコ玉数データ、並びに当該大当たり期間での払出パチンコ玉数及び使用パチンコ玉数の差である大当たり中差玉数データの少なくとも一方の集計動作を行うと共に、当該大当たり中払出パチンコ玉数データ及び大当たり中差玉数データの少なくとも一方について、前記判定手段が判定した各大当たり状態にある期間毎の平均値を演算する機能を備えていることを特徴とする請求項１ないし４の何れかに記載の遊技場用データ集計システム。
【請求項６】
前記判定手段は、前記データ演算手段により算出された大当たり中打込パチンコ玉数データ或いは継続時間データが前記上限しきい値及び下限しきい値の範囲に収まっていない場合に異常検知信号を出力する機能を備えていることを特徴とする請求項１ないし５の何れかに記載の遊技場用データ集計システム。
【発明の詳細な説明】
【技術分野】
【０００１】
本発明は、パチンコ玉を使用した遊技時に入賞率を通常時より高めた少なくとも２以上の大当たり状態が発生可能なパチンコ遊技機、特には各大当たり状態にある期間の平均的な継続期間が互いに相違するパチンコ遊技機に係る稼動データを各遊技機別に区分して集計管理するための遊技場用データ管理システムに関する。
【背景技術】
【０００２】
パチンコ遊技機においては、複数の通常入賞口、始動入賞口及び常時は閉鎖された状態の大入賞口を設けると共に、始動入賞口へのパチンコ玉の入賞に応じて行われる抽選動作の結果を表示する表示装置を設け、表示された抽選動作結果が大当たりであったときに大入賞口を所定ラウンドだけ開放させて入賞率を通常時より大幅に高めた大当たり状態（特賞状態とも呼ばれる）を呈する構成のもの（所謂第１種パチンコ遊技機：セブン機）が広く普及している。従来では、この種のデータ管理システムとして、パチンコ遊技機が大当たり状態になったか否かを判定する遊技状態判定手段と、この遊技状態判定手段の判定結果に基づきパチンコ遊技機が大当たり状態にある期間中におけるアウト玉数などの稼動データを当該大当たり状態期間毎の履歴データ（大当たり履歴データ）として順次集計するデータ演算手段と、このデータ演算手段の集計結果を出力する出力手段とを備えたものが提供されている（例えば特許文献１参照）。
【０００３】
また、近年では、特許文献２及び特許文献３などに見られるように、始動入賞口へのパチンコ玉の入賞に応じて行われる抽選動作の結果が当たりであった場合に大当たり状態を呈する第１種パチンコ遊技機と、始動チャッカー（始動入賞口）へのパチンコ玉の入賞により羽根が短時間だけ開き、その中にあるＶゾーンにパチンコ玉が入賞したときに大当たり状態を呈する第２種パチンコ遊技機（所謂ハネモノ）とを融合した形態のパチンコ遊技機（複合パチンコ遊技機）が提案されている。この他にも、第１種パチンコ遊技機若しくは第２種パチンコ遊技機と第３種パチンコ遊技機（所謂権利物）とを融合した形態、或いは同一種のパチンコ遊技機を融合した形態（例えば、第１種パチンコ遊技機の大当たり機能を２台分備えた形態）など、種々の形態の複合パチンコ遊技機が考えられている。
【０００４】
特に、風営法が来年（２００４年）１月に改正され７月から施行される予定だが、その法改正により従来の第１種、第２種といった遊技機種別が撤廃されるため、このような複合パチンコ遊技機が実際に遊技店に設置される日は遠くないと予想される。
【特許文献１】特開平８−９８９４４号公報
【特許文献２】特開２０００−３３１４１号公報
【特許文献３】特開２００３−６２２１５号公報
【発明の開示】
【発明が解決しようとする課題】
【０００５】
従来の遊技場用データ管理システムでは、２以上の大当たり状態が発生可能なパチンコ遊技機を管理対象とすることについて何も考慮されていないため、遊技機全体の稼動データを把握することは可能であるが、各大当たり状態に係る個別の稼動データを個別に把握することが困難になるという事情がある。特に、２以上の大当たり状態が設定されているにも関わらず、大当たり状態にあることを示す大当たり信号が１種類しか出力されないパチンコ遊技機も存在する可能性があり、このようなパチンコ遊技機については、遊技機の稼動データを各大当たり状態毎に区分して集計することが全く不可能になる。つまり、この種のパチンコ遊技機が管理対象であった場合、従来システムでは、各大当たり状態毎に区分した状態の稼動データを集計することが不可能になって、当該稼動データの関係により得られる各大当たり状態の遊技特性を個別に把握することが困難になるため、例えば、複合パチンコ遊技機に対する釘調整を的確に行うことが不可能になるなどの問題点が出てくる。
【０００６】
本発明は上記事情に鑑みてなされたものであり、その目的は、２以上の大当たり状態が発生可能で尚且つそれら大当たり状態にある各期間の平均的な継続期間が互いに相違するパチンコ遊技機、特には各大当たり状態の発生をそれぞれ示す信号が出力されない形態のパチンコ遊技機が管理対象であった場合に、各大当たり状態に係る稼動データを個別に集計可能となる遊技場用データ管理システムを提供することにある。
【課題を解決するための手段】
【０００７】
請求項１記載の発明は、上記目的を達成するために、パチンコ玉を使用した遊技により入賞が発生したときに所定個数のパチンコ玉を払い出すように構成されその遊技時に入賞率を通常時より高めた第１の大当たり状態及び第２の大当たり状態が発生可能なパチンコ遊技機であって、前記第１及び第２の大当たり状態にある各期間の平均的な継続期間が互いに相違するパチンコ遊技機に係る稼動データを各遊技機別に区分して集計管理する遊技場用データ管理システムにおいて、
前記パチンコ遊技機が前記第１及び第２の大当たり状態の何れかにある期間を大当たり期間として検出する検出手段と、この検出手段が検出した大当たり期間中に使用されたパチンコ玉数を示す大当たり中打込パチンコ玉数データ或いは当該大当たり期間の継続時間データを算出するデータ演算手段と、このデータ演算手段により算出された大当たり中打込パチンコ玉数データ或いは継続時間データに基づいて、前記第１及び第２の大当たり状態の何れが発生しているかを判定する判定手段とを備えた構成としたものである。
【０００８】
請求項２記載の発明は、前記判定手段を、前記データ演算手段により算出された大当たり中打込パチンコ玉数データ或いは継続時間データが、各大当たり状態のそれぞれについて予め設定された上限しきい値及び下限しきい値の範囲に収まっているか否かに基づいて、前記第１及び第２の大当たり状態の何れが発生しているかを判定する構成としたものである。
【０００９】
請求項３記載の発明は、前記パチンコ遊技機が、前記第１及び第２の大当たり状態の発生に応じて大当たり信号を出力するように構成されたものであった場合に、前記検出手段を、前記パチンコ遊技機から出力される前記大当たり信号に基づいて前記大当たり期間を検出する構成としたものである。
【００１０】
請求項４記載の発明は、前記データ演算手段を、前記パチンコ遊技機において払い出されたパチンコ数を示す払出パチンコ玉数データ、並びに当該パチンコ遊技機において払い出されたパチンコ玉数及び遊技に使用されたパチンコ数の差である差玉数データの少なくとも一方の集計動作をリアルタイムで行うように構成した上で、前記検出手段を、前記データ演算手段により演算される払出パチンコ玉数データ或いは前記差玉数データの単位時間当たりの増加量が予め設定されたしきい値以上あるか否かに基づいて前記大当たり期間を検出する構成としたものである。
【００１１】
請求項５記載の発明は、前記データ演算手段に対して、前記検出手段が検出した大当たり期間に払い出されたパチンコ玉数を示す大当たり中払出パチンコ玉数データ、並びに当該大当たり期間での払出パチンコ玉数及び使用パチンコ玉数の差である大当たり中差玉数データの少なくとも一方の集計動作を行うと共に、当該大当たり中払出パチンコ玉数データ及び大当たり中差玉数データの少なくとも一方について、前記判定手段が判定した各大当たり状態にある期間毎の平均値を演算する機能を付加したものである。
【００１２】
請求項６記載の発明は、前記判定手段に対して、前記データ演算手段により算出された大当たり中打込パチンコ玉数データ或いは継続時間データが前記上限しきい値及び下限しきい値の範囲に収まっていない場合に異常検知信号を出力する機能を付加したものである。
【発明の効果】
【００１３】
請求項１記載の発明によれば、パチンコ遊技機において第１及び第２の大当たり状態の何れかが発生したときには、その発生期間が検出手段によって大当たり期間として検出される。データ演算手段は、上記のように検出された大当たり期間中に使用されたパチンコ玉数を示す大当たり中打込パチンコ玉数データ或いは当該大当たり期間の継続時間データを算出する。但し、これにより得られるデータは、第１及び第２の大当たり状態の何れの期間中のものであるか不明である。
【００１４】
この場合、管理対象となるパチンコ遊技機は、第１及び第２の大当たり状態にある各期間の平均的な継続期間が互いに相違するという特性があるものであり、従って、上記データ演算手段により算出された大当たり中打込パチンコ玉数データ或いは継続時間データは、第１の大当たり状態にある期間に対応したデータと第２の大当たり状態にある期間に対応したデータとで自ずと異なるようになる。判定手段は、このようなデータの相違を利用することにより、第１及び第２の大当たり状態の何れが発生しているかを判定する。
【００１５】
従って、パチンコ遊技機の稼動データを、上記判定手段による判定結果に基づいて第１及び第２の大当たり状態に振り分けることが可能になるものであり、これにより、各大当たり状態毎に区分した状態の稼動データを集計可能になる。この結果、上記のように集計された各稼動データの関係に基づいて、各大当たり状態の遊技特性を個別に且つ容易に把握可能になるから、その把握結果に基づいて、パチンコ遊技機に対する釘調整作業などを的確に行うことが可能になる。
【００１６】
請求項２記載の発明によれば、判定手段は、管理対象となるパチンコ遊技機においては第１及び第２の大当たり状態にある各期間の平均的な継続期間が互いに相違するという特性を利用し、前記データ演算手段により算出された大当たり中打込パチンコ玉数データ或いは継続時間データが、各大当たり状態のそれぞれについて予め設定された上限しきい値及び下限しきい値の範囲に収まっているか否かに基づいて、第１及び第２の大当たり状態の何れが発生しているかを判定する。従って、このような判定を性格に行い得るようになり、これにより、各大当たり状態毎に区分した状態で集計される稼動データの信頼性を高め得るようになる。
【００１７】
請求項３記載の発明によれば、検出手段による大当たり期間の検出動作を、パチンコ遊技機から出力される大当たり信号に基づいてリアルタイムで行い得るようになる。
【００１８】
請求項４記載の発明によれば、検出手段による大当たり期間の検出動作が、データ演算手段による集計データに基づいて行われるから、第１及び第２の大当たり状態に区分した状態での稼動データの集計動作を管理対象のパチンコ遊技機の仕様と無関係に行い得るようになり、システムとしての汎用性が高くなる。
【００１９】
請求項５記載の発明によれば、大当たり中払出パチンコ玉数データ及び大当たり中差玉数データの少なくとも一方について、各大当たり状態にある期間毎の平均値が得られるから、遊技機の遊技特性がどちらの大当たり状態の遊技特性に依存しているかを一目で把握可能になる。
【００２０】
請求項６記載の発明によれば、データ演算手段により算出された大当たり中打込パチンコ玉数データ或いは継続時間データが前記上限しきい値及び下限しきい値の範囲に収まっていない場合、つまり、所謂パンクや不正行為に伴う多量のパチンコ玉の放出動作などの異常状態が発生したと想定されるときには、判定手段から異常検知信号が出力されるから、そのような異常状態に対し迅速に対処可能になる。
【発明を実施するための最良の形態】
【００２１】
以下、本発明の一実施例について図面を参照しながら説明する。
図２にはパチンコ遊技機の正面外観が概略的に示されている。この図２において、パチンコ遊技機１は、その上皿２内のパチンコ玉を電動式の玉発射機構（操作ダイヤルのみ符号３を付して示す）により盤面４へ発射する構成となっている。盤面４には、アウト口５、第１スタート入賞口６、第２スタート入賞口７ａ及び７ｂ、一般的にアタッカーと呼ばれている電動役物８ａを備えた大型入賞口８、複合役物９が設けられていると共に、図示しない通常入賞口も設けられている。
【００２２】
複合役物９は、第２種パチンコ遊技機（所謂ハネモノ）の機能を実現するためのセンター役物１０内に、第１種パチンコ遊技機（所謂セブン機）の機能を実現するための図柄表示部１１を配置した構成となっている。
図３には上記複合役物９が拡大した状態で示されており、以下この図３に基づいて複合役物９の構成を説明する。即ち、複合役物９を構成するセンター役物１０は、入賞領域を囲んだ形態の枠状部１０ａの左右両側に常時において当該入賞領域を閉鎖するように配置された一対の羽根１０ｂを備えており、その羽根１０ｂが図中に二点鎖線で示すように拡開されたときに入賞領域へのパチンコ玉の入賞が可能な状態となる。また、入賞領域の底部は、中央部に形成されたＶゾーン１０ｃと当該Ｖゾーン１０ｃ以外の部分を占める通常入賞口１０ｄとに区分されており、そのＶゾーン１０ｃをパチンコ玉が通過したときに第２大当たり条件が成立する。
【００２３】
即ち、センター役物１０にあっては、第２スタート入賞口７ａ或いは７ｂにパチンコ玉が入賞したときに羽根１０ｂを短時間（例えば１秒）だけ拡開する動作を実行する構成となっており、その拡開期間に枠状部１０ａにより囲まれた入賞領域に入賞したパチンコ玉がＶゾーン１０ｃを通過した場合に第２大当たり条件が成立することになる。この第２大当たり条件が成立した状態では、羽根１０ｂが比較的長い時間ずつ所定回数だけ拡開されるものであり、これに応じて入賞領域への入賞率が通常時より大幅に高められた第２の大当たり状態（以下これを第２種大当たりと呼ぶ）を呈する。このような第２種大当たりにある期間の平均的な差玉数は、例えば１２００個前後となるように構成されており、また、第２種大当たりにある期間において遊技に使用される平均的なアウト玉数（打込パチンコ玉数）は、例えば２００個前後となるように構成されている。
尚、上記第２種大当たりにある期間には、第２スタート入賞口７ａ或いは７ｂにパチンコ玉が入賞した場合でも羽根１０ｂの短時間拡開動作が行われることはない。
【００２４】
上記入賞領域には、パチンコ玉の通過経路をランダムにするための複数のスタッド１０ｅが立設されている。また、センター役物１０の枠状部１０ａにおいて、羽根１０ｂの基端部に対応した各部位にワープルート入口１０ｆが設けられていると共に、入賞領域の入口に対応した両側部位にワープルート出口１０ｇが設けられており、羽根１０ｂの拡開時にワープルート入口１０ｆにパチンコ玉が進入したときは、そのパチンコ玉がワープルート出口１０ｇから入賞領域の中央に向けて放出されてＶゾーン１０ｃへの入賞確率が高くなるように構成されている。
【００２５】
一方、図柄表示部１１は、第１スタート入賞口６へのパチンコ玉の入賞に応じて行われる所定確率の抽選動作の結果を表示するためのもので、図２及び図３では、３桁の数字列より成るルーレットを表示する例が示されている。即ち、図柄表示部１１は、第１スタート入賞口６へのパチンコ玉の入賞に応じてルーレットの変動表示（本実施例の場合、数字列の各桁の「０」〜「９」の範囲での変動表示）を開始するものであり、上記抽選動作の結果が大当たりであったときにはその変動終了時点で数字列が「１１１」、「２２２」、…のようなぞろ目図柄（大当たり図柄）となるように制御される。
【００２６】
このようにぞろ目図柄が表示された状態は、第１大当たり条件が成立した状態に相当する。そして、第１大当たり条件が成立したときには、大型入賞口８の電動役物８ａ（アタッカー）が予め決められたモードにて所定期間だけ開放され、以て当該入賞口８への入賞率が極端に高められた第１の大当たり状態（以下これを第１種大当たりと呼ぶ）を呈するものである。このような第１種大当たりにある期間の平均的な差玉数は、例えば１８００個前後となるように構成されており、また、第１種大当たりにある期間において遊技に使用される平均的なアウト玉数（打込パチンコ玉数）は、例えば４００個前後となるように構成されている。
【００２７】
要するに、本実施例によるパチンコ遊技機１は、第１種及び第２種大当たりにある各期間において遊技に使用される平均的なアウト玉数が互いに相違する構成、換言すれば、第１種及び第２種大当たりにある各期間の平均的な継続時間が互いに相違する構成となっている。
また、本実施例によるパチンコ遊技機１では、第１種大当たり及び第２種大当たりが独立して発生する構成となっているが、それら大当たりが同時には進行しない構成となっており、例えば、上述した第１大当たり条件及び第２大当たり条件が双方とも成立した状態となったときには、第２種大当たりへ優先的に切り替わる構成となっている。つまり、第１種大当たりにある期間中に第２大当たり条件が成立したときには、当該第１種大当たりを中断して第２種大当たりに切り替わり、この後に第２種大当たりが終了したときに第１種大当たりに復帰する構成となっており、第２種大当たりにある期間中に第１大当たり条件が成立したときには、当該第２種大当たりが終了した後に第１種大当たりに切り替わる構成となっている。要するに、第１種及び第２種大当たりが同時期に発生可能であるが、それら大当たりが同時には進行せず、２種類の大当たりに係る動作が連続して実行される構成となっている。尚、図柄表示部１１の変動表示期間中に第２種大当たりが発生したときには、その変動表示は、その後に第２種大当たりが終了するまでの期間だけ中断された状態となる。
【００２８】
また、第１スタート入賞口６へのパチンコ玉の入賞が、図柄表示部１１の変動表示期間や、第１種大当たり或いは第２種大当たりにある期間中に発生した各場合には、その入賞に応じた抽選結果の表示が保留される。そして、このように保留された抽選結果の表示動作は、図柄表示部１１の変動表示の終了、第１種或いは第２種大当たりの終了を待って行われるものであり、以て当該表示保留状態が解除される構成となっている。このような抽選結果の表示の一時的な保留数（所謂保留玉数）は所定の上限値（例えば「４」）に制限されており、当該保留玉数を表示するために、図柄表示部１１の上方に発光ダイオードを利用した保留玉表示部１１ａが設けられている。
【００２９】
このように構成されたパチンコ遊技機１には、以下に述べるような各信号を外部へ出力する機能が設けられている。
即ち、パチンコ遊技機１は、打込パチンコ玉数を示すアウト玉数信号、並びに賞球として払い出されたパチンコ玉の数を示すセーフ玉数信号を出力する構成となっている。また、パチンコ遊技機１は、図柄表示部１１による図柄変動動作の実行（以下、これを第１スタートと呼ぶ）毎に第１スタート信号を出力し、第２スタート入賞口７ａ或いは７ｂへのパチンコ玉の入賞に応じた羽根１０ｂの短時間拡開動作の実行（以下、これを第２スタートと呼ぶ）毎に第２スタート信号を出力する構成となっており、さらに、第１種大当たり及び第２種大当たりにある各期間に大当たり信号を継続的に出力する構成、つまり第１種及び第２種大当たりが発生した各期間に同一の大当たり信号を継続的に出力する構成となっている。
【００３０】
図１には、本実施例によるパチンコホール用管理システムの概略的構成が本発明の要旨に関係した部分のみ示されている。この図１において、パチンコホール内に多数台ずつ設置されたパチンコ遊技機１及び台間玉貸機１２は、互いの間で信号の授受を行い得るように構成されている。パチンコ遊技機１の上方には呼出ランプユニット１３が設けられており、当該パチンコ遊技機１は、呼出ランプユニット１３を介して入出力装置１４と接続され、台間玉貸機１２はパチンコ遊技機１及び呼出ランプユニット１３を介して入出力装置１４に接続されている。尚、パチンコ遊技機１から入出力装置１４には、前述したアウト玉数信号、セーフ玉数信号、第１スタート信号、第２スタート信号、大当たり信号などが出力される。
【００３１】
台間玉貸機１２は、プリペイドカード挿入口１２ａに図示しないプリペイドカードが挿入された状態で当該プリペイドカードに記憶された残高金額データの範囲内でパチンコ玉を放出（貸出）するＣＲ機（カードリーダ機）としての機能を備えたものである。この場合、各台間玉貸機１２から入出力装置１４には、プリペイドカードによる売上を示す売上信号などが出力される。
【００３２】
呼出ランプユニット１３は、複数の表示ランプ１３ａ、例えば液晶パネルより成るデータ表示部１３ｂ、呼出ボタン１３ｃなどを備えた周知構成のもので、呼出ボタン１３ｃの操作に伴う呼び出し状態の表示機能、対応するパチンコ遊技機１で発生した大当たり状態などを表示する機能、パチンコ遊技機１での稼動データに基づいて作成した遊技客向けデータ（大当たり発生回数など）を表示する機能（これについては後述する）、パチンコ遊技機１及び台間玉貸機１２のためのデータ入出力インタフェースの機能などを備えている。
【００３３】
入出力装置１４は、店内ＬＡＮ１５に接続されており、この店内ＬＡＮ１５には、パチンコホールの管理事務所内に設置された管理コンピュータ１６（検出手段、データ演算手段、判定手段に相当）が接続されている。また、図示しないが、店内ＬＡＮ１５には、景品交換カウンタに設置されたＰＯＳ端末及び島端に設置されたパチンコ玉計数機なども接続される。
【００３４】
管理コンピュータ１６は、パチンコ遊技機１及び台間玉貸機１２から出力される種々の信号（アウト玉数信号、セーフ玉数信号、第１スタート信号、第２スタート信号、大当たり信号、売上信号など）に基づいて、パチンコ遊技機１についての稼動データ（アウト玉数（打込パチンコ玉数）、セーフ玉数、差玉数、稼動率、出玉率、ベース、図柄表示部１０及び１１の各スタート回数（第１スタート回数、第２スタート回数）など）、並びに台間玉貸機１２についての貸出高データ（売上金額、割数など）を集計して格納するという周知のデータ集計機能を備えた構成となっている。
【００３５】
また、管理コンピュータ１６は、上記のようなデータ集計機能の他に、本発明の要旨に関係した大当たり履歴データの作成及び出力機能を備えており、以下においては、その機能について図４ないし図１０も参照しながら説明する。
図４には、パチンコ遊技機１での第１種大当たり及び第２種大当たりの各発生及び終了タイミング、並びにこれに伴う大当たり信号の出力タイミングの一例が示されている。但し、この図４には、説明の便宜上、第１種及び第２種大当たりがそれぞれ単独で発生した場合の例を示す。この例では、第１種大当たりが４回発生すると共に、第２種大当たりが５回発生した場合について示されており、図４中には、各大当たりの発生順に通し番号「１」〜「９」が付されている。尚、図４に示した通し番号「７」に対応した第１種大当たりは、所謂確変を伴った大当たりであり、確変が伴っているか否かの判断は、例えば、図柄表示部１１の表示図柄に基づいて行うことができる。また、これ以外にも、各大当たりの発生時において所謂時短が伴っているか否かの判断についても、図柄表示部１１の表示図柄に基づいて行うことができる。
【００３６】
管理コンピュータ１６は、大当たり信号の出力期間に集計した稼動データに基づいて大当たり履歴データを作成するものである。但し、本実施例では、２種類の第１種及び第２種大当たりが設定されているにも関わらず、大当たり信号が１種類しか出力されないパチンコ遊技機１を管理対象としているため、当該大当たり信号だけでは、管理コンピュータ１６側において集計される稼動データが第１種及び第２種大当たりのどちらによるものかを区別できない。そこで、本実施例では、管理コンピュータ１６において、上記大当たり信号並びにパチンコ遊技機１が大当たりにある期間中のアウト玉数（以下、大当たり中アウト玉数と呼ぶ：大当たり中打込パチンコ玉数データに相当）に基づいて、第１種及び第２種大当たりのどちらが発生したかの判定を行う構成としており、以下これについて説明する。
【００３７】
即ち、パチンコ遊技機１においては、前述したように、第１種大当たりにある期間の平均的なアウト玉数は４００個前後、第２種大当たりにある期間の平均的なアウト玉数は２００個前後となっている。そこで、管理コンピュータ１６においては、大当たり信号が出力された期間（第１種及び第２種大当たりの継続期間）における大当たり中アウト玉数が予め設定された上限しきい値及び下限しきい値の範囲に収まっているか否かに基づいて、発生した大当たりの種類の判定を行う構成となっている。
【００３８】
この場合、第１種大当たりについての大当たり中アウト玉数用の上限しきい値及び下限しきい値を例えば「５００」及び「３０１」に設定し、第２種大当たりについての大当たり中アウト玉数用の上限しきい値及び下限しきい値を例えば「３００」及び「１０１」に設定する。
従って、大当たり信号が出力された場合に、これに伴う大当たり中アウト玉数を監視し、最終的に、
３０１≦大当たり中アウト玉数≦５００
の状態となったときに第１種大当たりが発生したものと判定し、
１０１≦大当たり中アウト玉数≦３００
の状態となったときに第２種大当たりが発生したものと判定することになる。
【００３９】
図５には、上記のような判定動作を説明するためのタイミングチャートが示されている。この図５は、横軸がパチンコ遊技機１の遊技に伴い増加するアウト玉数、縦軸が当該遊技に伴い変動する差玉数を示すものであり、図中のタイミングｔ１、ｔ３、ｔ４において第２種大当たりが発生し、タイミングｔ２、ｔ５において第１種大当たりが発生した場合の例が示されている。
【００４０】
この図５において、ΔＹ１、ΔＹ３、ΔＹ４は第２種大当たりに係る大当たり中差玉数、ΔＹ２、ΔＹ５は第１種大当たりに係る大当たり中差玉数であり、また、ΔＸ１、ΔＸ３、ΔＸ４は第２種大当たりに係る大当たり中アウト玉数、ΔＸ２、ΔＸ５は第１種大当たりに係る大当たり中アウト玉数である。管理コンピュータ１６は、これらのデータをパチンコ遊技機１において大当たり信号が出力停止する毎にリアルタイムで集計する。このような集計データのうち、大当たり中アウト玉ΔＸ１〜ΔＸ５を前記上限しきい値及び下限しきい値と比較することにより、発生した大当たりの種類を管理コンピュータ１６において比較的正確に判定できるようになる。
【００４１】
管理コンピュータ１６には、このような判定結果、並びに前述のデータ集計機能により得た稼動データに基づいて各パチンコ遊技機１に係る大当たり履歴データを作成して出力する機能が設けられているが、本実施例では、その作成・出力形態として複合データ作成モードが設定されている。そこで、以下においては、この複合データ作成モードについて、図３のようなタイミングで第１種及び第２種大当たりが発生したパチンコ遊技機１を対象にして説明する。
【００４２】
即ち、複合データ作成モードでは、パチンコ遊技機１において第１種及び第２種大当たりの何れかが発生するまでの期間の稼動データ並びに当該大当たり期間中の稼動データに基づいて各回の大当たり履歴データを作成し、第１種及び第２種大当たりの双方についての大当たり履歴データを発生順に並べると共に、これに他の所定のデータを付け加えた状態の複合データとして出力する。
【００４３】
具体的には、各大当たり履歴データは、大当たりの発生時刻、大当たりの種類（第１種及び第２種の区別）、大当たりの発生状態（「確変」あり、「時短」ありの区別）、大当たり間アウト（大当たりが新たに発生するまでの期間のアウト玉数）、大当たり間差玉（大当たりが新たに発生するまでの期間の差玉数）、大当たり間スタート（直前の同一種類の大当たりが発生してから該当大当たりが発生するまでの期間のスタート回数（第１スタート回数及び第２スタート回数）：但し、営業開始後に最初に発生した大当たりについては、営業開始後から該当大当たりが発生するまでの期間のスタート回数）、大当たり中差玉（１回の大当たりに対応した大当たり中差玉数：大当たり中差玉数データに相当）、大当たり中アウト（前述した大当たり中アウト玉数（大当たり中打込パチンコ玉数データ））、大当たり中セーフ（１回の大当たり期間中のセーフ玉数：大当たり中払出パチンコ玉数データに相当）を組み合わせたデータであり、プリンタを通じた印字出力或いはディスプレイを通じた表示出力として提供される。
【００４４】
図６には、図４のようなタイミングで大当たり信号を出力したパチンコ遊技機１に対応した複合データを、当該図４中に示したタイミングＴにて作成した場合の例が示されている。
この図６において、複合データは、大当たりの発生順を示す通し番号（「１」〜「９」）と対応付けた状態で、各大当たり履歴データ（発生時刻、大当たりの種類（第１種、第２種の区別）、発生状態、大当たり間アウト、大当たり間差玉、大当たり間スタート（第１スタート回数及び第２スタート回数）、大当たり中差玉、大当たり中アウト、大当たり中セーフの組合せデータ）を記録すると共に、図３中のタイミングＴでの大当たり間アウト、大当たり間差玉、大当たり間スタートを記録した形態となっている。
【００４５】
さらに、管理コンピュータ１６は、図５に示すように、上記のように記録した複合データ中に、以下に述べるような「第１種大当たり合計」、「第２種大当たり合計」、「第１種大当たり平均」、「第２種大当たり平均」、「実スタート比率」、「全平均」の各データを付け加えて集計する構成となっている。
「第１種大当たり合計」……第１種大当たりが発生するまでの第１スタート回数及び現在時点までの第１スタート回数、第１種大当たりの発生に応じた大当たり中差玉、大当たり中アウト、大当たり中セーフについて各々合計したデータ、
「第２種大当たり合計」……第２種大当たりが発生するまでの第２スタート回数及び現在時点までの第２スタート回数、第２種大当たりの発生に応じた大当たり中差玉、大当たり中アウト、大当たり中セーフについて各々合計したデータ、
「第１種大当たり平均」……第１種大当たりに対応した大当たり間アウト、大当たり間差玉、第１スタート回数、大当たり中差玉、大当たり中アウト、大当たり中セーフについての第１種大当たり１回当たりの平均をそれぞれ示すデータ、
「第２種大当たり平均」……第２種大当たりに対応した大当たり間アウト、大当たり間差玉、第２スタート回数、大当たり中差玉、大当たり中アウト、大当たり中セーフについての第２種大当たり１回当たりの平均をそれぞれ示すデータ、
実スタート比率……「第１種大当たり平均」中の第１スタート回数と「第２種大当たり平均」中の第２スタート回数との比率を示すデータ、
「全平均」……第１種及び２種大当たりの発生に応じた大当たり間アウト、大当たり間差玉、第１スタート回数、第２スタート回数、大当たり中差玉、大当たり中アウト、大当たり中セーフの各平均をそれぞれ示すデータ。
【００４６】
ここまで説明した管理コンピュータ１６による大当たり履歴データの作成及び出力機能は、第１種及び第２種大当たりがそれぞれ単独で発生した場合についての内容であるが、第１種及び第２種大当たりが同時期に発生した場合には、管理コンピュータ１６は以下のような動作を行う。
即ち、図７には、パチンコ遊技機１での第１種大当たり及び第２種大当たりの各発生及び終了タイミング、並びにこれに伴う大当たり信号の出力タイミングについて、前記図４とは異なる例が示されている。この例では、第１種大当たりが４回（第２種大当たりの発生に応じて第１種大当たりが中断した場合（図４に矢印Ａで示す状態）は１回としてカウント）発生すると共に、第２種大当たりが５回発生した場合について示されており、図７中には、各大当たりの発生順に通し番号「１」〜「９」が付されている。要するに、この例では、通し番号２に対応した第１種大当たり期間中に通し番号「３」に対応した第２種大当たりが発生した状態、つまり、第１種大当たりにある期間中に第２大当たり条件が成立するのに伴い、当該第１種大当たりを中断して第２種大当たりに切り替わり、この後に第２種大当たりが終了したときに第１種大当たりに復帰した状態が示されている。この場合、第１種及び第２種大当たりが同時期に発生した状態（通し番号「２」に対応した第１種大当たり期間中に通し番号「３」に対応した第２種大当たりが発生した状態）では、各大当たりの発生を示す大当たり信号が連続して出力されることになる。
【００４７】
管理コンピュータ１６においては、第１種及び第２種大当たりのどちらが発生したかの判定を、前述同様に大当たり信号並びに大当たり中アウト玉数に基づいて行うと共に、各大当たりが同時発生したか否かの判定を行う構成となっている。具体的には、第１種及び第２種大当たりについての前述した上限しきい値及び下限しきい値の他に、第１種及び第２種大当たりの同時発生判定用の上限しきい値及び下限しきい値が設定されており、そのしきい値は、例えば「７００」及び「５０１」とされる。
【００４８】
従って、大当たり信号が出力された場合に、これに伴う大当たり中アウト玉数を監視し、最終的に、
３０１≦大当たり中アウト玉数≦５００
の状態となったときに第１種大当たりが発生したものと判定し、
１０１≦大当たり中アウト玉数≦３００
の状態となったときに第２種大当たりが発生したものと判定し、
５０１≦大当たり中アウト玉数≦７００
の状態となったときに第１種及び第２種大当たりが同時期に発生したものと判定することになる。
【００４９】
図８には、上記のような判定動作を説明するためのタイミングチャートが示されている。この図８は前記図５と同様に、横軸がパチンコ遊技機１の遊技に伴い増加するアウト玉数、縦軸が当該遊技に伴い変動する差玉数を示すものであり、図中のタイミングｔ１、ｔ３、ｔ４において第２種大当たりが発生し、タイミングｔ２、ｔ５において第１種大当たりが発生した場合の例が示されている。尚、図８において、第２種大当たりの発生タイミングｔ３は、第１種大当たりの発生後において当該第１種大当たりが終了していない期間中のタイミングであり、この場合には、当該タイミングｔ３で第１種大当たりが中断され、その後に第２種大当たりが終了したタイミングｔ３′に第１種大当たりが再開されることになる。
【００５０】
この図８において、ΔＹ１、ΔＹ３は第２種大当たりに係る大当たり中差玉数、ΔＹ４は第１種大当たりに係る大当たり中差玉数、ΔＹ２は第１種及び第２種大当たりが同時期に発生したときの大当たり中差玉数であり、また、ΔＸ１、ΔＸ３は第２種大当たりに係る大当たり中アウト玉数、ΔＸ４は第１種大当たりに係る大当たり中アウト玉数、ΔＸ２は第１種及び第２種大当たりが同時期に発生したときの大当たり中アウト玉数である。管理コンピュータ１６は、これらのデータをパチンコ遊技機１において大当たり信号が出力停止する毎にリアルタイムで集計する。このような集計データのうち、大当たり中アウト玉ΔＸ１〜ΔＸ４を前記上限しきい値及び下限しきい値と比較することにより、発生した大当たりの種類及び各大当たりの同時発生の有無を管理コンピュータ１６において判定できるようになる。
【００５１】
管理コンピュータ１６には、第１種及び第２種大当たりの同時発生があったと判定した場合には、前述した複合データ作成モードにおいて、図９に示すような複合データを作成する。この図９の複合データは、基本的には、前記図６に示した複合データと同じものであるが、第１種及び第２種大当たりが同時期に並行して発生した場合には、当該大当たりに係る大当たり中差玉、大当たり中アウト、大当たり中セーフの各データの集計を無効化する構成、つまり、それらのデータを大当たり履歴データ中から除外する構成となっている。図９の複合データの例では、通し番号「２」、「３」に対応した大当たり履歴データにおいて、大当たり中差玉、大当たり中アウト、大当たり中セーフの各データが除外された形態となっている。
【００５２】
一方、管理コンピュータ１６には、上記のような複合データ作成モードで作成した複合データを所定日数分に渡って蓄積すると共に、その蓄積データを印字出力或いはディスプレイを通じた表示出力としてパチンコホール従業員に対し選択的に提供する機能の他に、データ出力機能が設定されている。このデータ出力機能は、上記蓄積データに基づいて作成した遊技客向けデータを呼出ランプユニット１３のデータ表示部１３ｂに表示することにより遊技客側に提供するというものであり、以下これについて説明する。
【００５３】
図１０には、データ表示部１３ｂでの表示例が示されている。
即ち、図１０は複合データ（図５参照）に基づいて作成した遊技客向けデータの表示例を示すものであり、
・当日の第１種大当たりの発生回数ａ、
・当日の確変及び時短の発生回数ｂ、
・当日の第２種大当たりの発生回数ｃ、
・前回の第１種大当たりの終了後から現在時点までの第１スタート回数ｄ（但し、第１種大当たりが未発生の時点では当日の営業開始時点から現在時点までの第１スタート回数）、
・前回の第２種大当たりの終了後から現在時点までの第２スタート回数ｅ（但し、第２種大当たりが未発生の時点では当日の営業開始時点から現在時点までの第２スタート回数）、
・前日の第１種大当たりの発生回数ｆ、
・前日の第２種大当たり発生回数ｇ、
・前々日の第１種大当たりの発生回数ｈ、
・前々日の第２種大当たりの発生回数ｉ、
がそれぞれ数値表示されると共に、第１及び第２スタート回数についてのスタート履歴グラフｊ、第１種大当たりについての所謂連チャン回数ｋが表示される。
【００５４】
スタート履歴グラフｊは、第１スタート回数及び第２スタート回数についての履歴を互いに識別可能な状態（例えば表示色を変えた状態）のデータセットから成る棒グラフにより表示したものであり、各データセットは、１目盛が１〜１００回に対応している。つまり、１目盛のみ表示された棒グラフはスタート回数が１〜１００回、２目盛表示された棒グラフはスタート回数が１０１〜２００回、３目盛表示された棒グラフはスタート回数が２０１〜３００回、……ということになる。
【００５５】
この場合、前回の該当大当たりの終了時点（若しくは営業開始時点）から現在時点までの間における第１スタート回数及び第２スタート回数が、「現在」の文字に対応付けて表示されると共に、新たに第１種大当たり或いは第２種大当たりが発生した時点までの各期間の該当スタート回数（第１スタート回数或いは第２スタート回数）についての過去５回分の履歴が、「１回前」、「２回前」、「３回前」、「４回前」、「５回前」の文字に対応付けて表示される。但し、確変（或いは時短）を伴った第１種大当たり及びこの確変（或いは時短）時に発生した第１種大当たり（つまり、連チャン状態）は、これを１回とカウントしており、当該確変（或いは時短）を伴った第１種大当たりが新たに発生するまでの期間の第１スタート回数について棒グラフ表示している。
【００５６】
つまり、図５の複合データの例では、通し番号「７」及び「８」の大当たり履歴データに対応した２回分の第１種大当たりが１回とカウントされるものであり、当該大当たりに対応した第１スタート回数は、「２回前」の履歴となる。この図５の例では、確変（或いは時短）を伴った第１種大当たりに係る通し番号「７」の大当たり履歴データにおける第１スタート回数は「１１８」であるから、「２回前」の文字に対応した棒グラフは２目盛が表示されることになる。
【００５７】
連チャン回数ｋは、「現在」、「１回前」、「２回前」、「３回前」、「４回前」、「５回前」の文字に対応付けた状態で数値表示されるものであるが、第２種大当たりについては確変や時短という概念がないので、「‐」が表示されることになる。尚、連チャン回数ｋ＝「０」は第１種大当たりが未発生であることを示し、連チャン回数ｋ＝「１」は第１種大当たりが単独発生したものであることを示す。
【００５８】
以上要するに、上記した実施例によれば、第１種及び第２種大当たりが発生可能なパチンコ遊技機１、特には、第１種及び第２種大当たりにある各期間の継続期間が互いに相違するパチンコ遊技機１に係る稼働データ（アウト玉数、セーフ玉数、差玉数、第１スタート回数、第２スタート回数など）を各遊技機１別に区分して集計管理するために設けられた管理コンピュータ１６は、パチンコ遊技機１から大当たり信号が出力された場合に、その出力期間を当該パチンコ遊技機１において第１種及び第２種大当たりの何れかが発生した大当たり期間として検出する動作をリアルタイムで実行する。
【００５９】
また、管理コンピュータ１６は、上記大当たり期間でのアウト玉数を大当たり中アウト玉数として集計し、その大当たり中アウト玉数が、第１種及び第２種大当たりのそれぞれについて予め設定された上限しきい値（第１種大当たり→５００、第２種大当たり→３００）及び下限しきい値（第１種大当たり→３０１、第２種大当たり→１０１）の範囲に収まっているか否かに基づいて、第１種及び第２種大当たりの何れが発生しているかを判定する。さらに、管理コンピュータ１６は、第１種及び第２種大当たりが同時期に発生したことを、大当たり中アウト玉数が予め設定された上限しきい値及び下限しきい値（５０１及び７００）の範囲に収まっているか否かに基づいて判断する。
【００６０】
従って、管理コンピュータ１６においては、２種類の大当たりが発生可能で、尚且つ各大当たりの発生時に１種類の大当たり信号しか出力されない形態のパチンコ遊技機１が管理対象であった場合でも、集計した稼動データを、上記のような判定結果に基づいて第１種及び第２種大当たりに振り分けることが可能になるものであり、これにより、各大当たり毎に区分した状態の稼動データを集計できるようになる。
【００６１】
具体的には、管理コンピュータ１６は、パチンコ遊技機１が第１種及び第２種大当たりにある各期間での払出パチンコ玉数を示す大当たり中セーフ玉数、当該期間での打込パチンコ玉数を示す大当たり中アウト玉数、当該期間での差玉数を示す大当たり中差玉数の各データを含む大当たり履歴データの集計動作を行い、その集計結果を図６及び図９に示すような複合データとして出力する。この結果、そのように出力される複合データに基づいて、パチンコ遊技機１に設定された第１種及び第２種大当たりについての各遊技特性を個別且つ容易に把握できるようになるから、その把握結果に基づいて、パチンコ遊技機１の釘調整作業などを的確に行うことが可能になる。
【００６２】
しかも、管理コンピュータ１６は、第１種及び第２種大当たりが同時期に並行発生した場合には、当該大当たり状態に係る大当たり中差玉、大当たり中アウト、大当たり中セーフの各データの集計を無効化して、それらのデータを大当たり履歴データ中から除外するようになる（図９参照）。換言すれば、第１種及び第２種大当たりが単独で発生して終了したときの大当たり中差玉、大当たり中アウト、大当たり中セーフの各データのみが大当たり履歴データ中に含まれるものであり、この結果、第１種及び第２種大当たりが同時期に発生した場合でも、各大当たりに伴う大当たり履歴データの推移を精度良く集計できるようになる。これにより、当該大当たり履歴データにより示されるパチンコ遊技機１の収支データがどちらの大当たりに係る遊技特性に依存しているかを容易且つ的確に把握できるようになり、その把握結果を、例えばパチンコ遊技機１の釘調整作業などに役立て得るようになる。
【００６３】
また、上記複合データ中には、第１種及び第２種大当たりに区分した状態で集計された大当たり中差玉数、大当たり中アウト玉数、大当たり中セーフ玉数の各データについて、各大当たりにある期間毎の平均値を示すデータが含まれるから、パチンコ遊技機１の遊技特性がどちらの大当たり状態の遊技特性に依存しているかを一目で把握可能になる。
【００６４】
さらに、本実施例によれば、所定日数分に渡って蓄積された複合データに基づいて作成した遊技客向けデータを呼出ランプユニット１３のデータ表示部１３ｂに表示することにより遊技客側に提供する機能が設けられているから、遊技客側においてもパチンコ遊技機１における各大当たりの傾向をある程度把握することが可能になり、以て、遊技に対する興趣の向上ひいては遊技客の来店率の向上を図る上で有益になる。
【００６５】
（その他の実施の形態）
その他、本発明は上記し且つ図面に示した実施例に限定されるものではなく、例えば以下に述べるような変形或いは拡大が可能である。
上記実施例の管理コンピュータ１６では、大当たり中アウト玉数が、第１種及び第２種大当たりのそれぞれについて予め設定された大当たり中アウト玉数用の上限しきい値及び下限しきい値の範囲に収まっているか否かに基づいて、各大当たりの何れが発生しているかを判定する構成としたが、そのような判定を大当たり期間の継続時間データに基づいて行う構成としても良い。
【００６６】
管理コンピュータ１６に対して、自身が集計した大当たり中アウト玉数或いは大当たり期間の継続時間を示すデータが、それぞれに対応した前記上限しきい値及び下限しきい値の範囲に収まっていない場合に異常検知信号を出力する機能を付加する構成としても良い。この構成によれば、大当たり中アウト玉数或いは大当たり期間の継続時間がそれぞれに対応した上限しきい値及び下限しきい値の範囲に収まっていない場合、つまり、所謂パンクや不正行為に伴う多量のパチンコ玉の放出動作などの異常状態が発生したと想定されるときには、管理コンピュータ１６から異常検知信号が出力されるから、そのような異常状態に対し迅速に対処可能になる。
【００６７】
上記実施例では、パチンコ遊技機１が第１種及び第２種大当たりの何れかを呈した状態にある大当たり期間の検出を当該パチンコ遊技機１から出力される大当たり信号に基づいて行う構成としたが、管理コンピュータ１６により集計されるセーフ玉数（払出パチンコ玉数データに相当）或いは差玉数（差玉数データに相当）の単位時間当たりの増加量が予め設定されたしきい値以上あるか否かに基づいて上記大当たり期間の検出を行う構成としても良い。この構成によれば、第１種及び第２種大当たりに区分した状態での稼動データの集計動作のために大当たり信号が不要になるから、稼動データの集計動作を、管理対象のパチンコ遊技機１の仕様と無関係に行い得るようになり、システムとしての汎用性が高くなる。
【００６８】
上記各実施例では、第１スタート入賞口６及び第２スタート入賞口７ａ、７ｂを個別に設ける構成としたが、これらを一つのスタート入賞口により兼用する構成としても良い。この場合には、例えば、兼用スタート入賞口へのパチンコ玉の入賞タイミングや予め決められた順番などにより、センター役物１０の羽根１０ｂ及び図柄表示部１１の何れを動作開始させるかを選択する手段を設けたり、或いは兼用スタート入賞口へのパチンコ玉の入賞に応じて動作する補助役物により羽根１０ｂ及び図柄表示部１１の何れを動作開始させるか選択する手段を設ける構成などが考えられる。
【００６９】
前記実施例において、管理コンピュータ１６に対して、大当たり履歴データを同一機種のパチンコ遊技機１について平均した平均大当たり履歴データを出力する機能を付加する構成としても良い。この構成によれば、同一機種のパチンコ遊技機１についての平均大当たり履歴データを、大当たり履歴データの分析時においてその分析の目安となる標準的なデータとして利用できるようになり、以てパチンコ遊技機１で発生した各大当たりについてのデータ分析の信頼性を高め得るようになる。
【００７０】
前記実施例では、第１の大当たり状態の例として第１種パチンコ遊技機に対応した大当たり状態（第１種大当たり）を挙げると共に、第２の大当たり状態の例として第２種パチンコ遊技機に対応した大当たり状態（第２種大当たり）を挙げたが、これに限られるものでない。例えば第３種パチンコ遊技機（所謂権利物）に設定された大当たり状態を第１の大当たり状態或いは第２の大当たり状態として適用する構成、同一種のパチンコ遊技機を融合した構成（例えば、第１種パチンコ遊技機の大当たり機能を２台分備えた構成）、３種類以上の大当たり状態が発生可能な構成など、種々の組合せが考えられる。
【００７１】
また、上記実施例において、上限しきい値及び下限しきい値の一方の設定をさらに細かく設定することにより、各大当たり状態の継続ラウンド数を特定できるようにしても良い。
本発明で管理対象とするパチンコ遊技機は、前記実施例で示した形式のものに限定される訳ではなく、例えば所謂封入式のパチンコ遊技機も管理対象とすることができる。その場合には、入賞に応じて付与される得点が、本発明でいうところの入賞に応じて払い出されるパチンコ玉数に該当することは勿論である。また、前記実施例における始動入賞口（第１スタート入賞口６及び第２スタート入賞口７ａ、７ｂ）は、パチンコ玉の入賞に応じて所定個数のパチンコ玉が払い出されるものに限らず、パチンコ玉の入賞によるパチンコ玉の払出を伴わない通過ゲート式のものも含む概念である。
【図面の簡単な説明】
【００７２】
【図１】本発明の一実施例を示すシステム全体の概略的構成図
【図２】パチンコ遊技機の概略的な正面図
【図３】パチンコ遊技機の要部の拡大正面図
【図４】第１種及び第２種大当たりの発生状態並びに大当たり信号の出力パターン例を示すタイミングチャートその１
【図５】作用説明図その１
【図６】複合データの出力例を示す図その１
【図７】第１種及び第２種大当たりの発生状態並びに大当たり信号の出力パターン例を示すタイミングチャートその２
【図８】作用説明図その２
【図９】複合データの出力例を示す図その２
【図１０】遊技客向けデータの表示例を示す図
【符号の説明】
【００７３】
１はパチンコ遊技機、６は第１スタート入賞口、７ａ、７ｂは第２スタート入賞口、８は大型入賞口、８ａは電動役物、９は複合役物、１０はセンター役物、１０ｂは羽根、１０ｃはＶゾーン、１１は図柄表示部、１３は呼出ランプユニット、１３ｂはデータ表示部、１６は管理コンピュータ（検出手段、データ演算手段、判定手段）を示す。
【図１】
2005177263.tif 000003
【図２】
2005177263.tif 000004
【図３】
2005177263.tif 000005
【図４】
2005177263.tif 000006
【図５】
2005177263.tif 000007
【図６】
2005177263.tif 000008
【図７】
2005177263.tif 000009
【図８】
2005177263.tif 000010
【図９】
2005177263.tif 000011
【図１０】
2005177263.tif 000012